(57)【要約】【課題】本発明は、低温域における臭気の発生を抑えた発酵から高温域における発酵との２段階方式により悪臭が発生することなく完全な発酵が行える低臭気な堆肥化処理方法を提供することを目的とするものである。【解決手段】本発明は、生活ゴミや動植物残滓に、単独もしくは複数の微生物を接種して、増殖させ、発酵、分解させる堆肥化処理方法において、一次処理が、消臭機能を有する微生物により行われる第１次発酵工程と、二次処理が、堆肥化促進機能を有する微生物により第一次発酵工程より高温度で行われる第２次発酵工程を備える工程とする。【選択図】図１
2008037718.tif 000002
【特許請求の範囲】
【請求項１】
生活ゴミや動植物残滓に、単独もしくは複数の微生物を接種して、増殖させ、発酵、分解させる堆肥化処理方法において、
一次処理が、消臭機能を有する微生物により行われる第１次発酵工程と、
二次処理が、堆肥化促進機能を有する微生物により第一次発酵工程より高温度で行われる第２次発酵工程を備える
ことを特徴とする低臭気な堆肥化処理方法。
【請求項２】
前記一次処理における温度が３０〜６０℃の中温域である
ことを特徴とする請求項１記載の低臭気な堆肥化処理方法。
【請求項３】
前記二次処理における温度が７０〜８５℃の高温域である
ことを特徴とする請求項１または２記載の低臭気な堆肥化処理方法。
【請求項４】
前記微生物が枯草菌および放線菌よりなる微生物群から選ばれる少なくとも１種よりなる
ことを特徴とする請求項１、２または３記載の低臭気な堆肥化処理方法。
【請求項５】
前記消臭機能を有する微生物が枯草菌で、前記堆肥化促進機能を有する微生物が放線菌であることを特徴とする請求項１〜４のいずれか１項に記載の低臭気な堆肥化処理方法。
【請求項６】
枯草菌と放線菌を共存させながら１次処理を行うことを特徴とする請求項１〜５のいずれか１項に記載の低臭気な堆肥化処理方法。
【発明の詳細な説明】
【技術分野】
【０００１】
本発明は低臭気な堆肥化処理方法に関する。詳しくは家庭や飲食店等から排出される大量の生ごみや食品加工・焼酎工場から排出される焼酎粕などの食物残滓を堆肥化する際の臭いの発生を抑えた処理方法に係るものである。
【背景技術】
【０００２】
生ゴミなど含水率の高い（７５％〜９０％）食物残滓の堆肥化処理方法においては、例えば図３に示す有機性固形廃棄物の堆肥化処理方法がある。この発明は生ゴミにて代表される有機性固形廃棄物１０１を破砕又はそのままの状態で受入れ、通性嫌気的な条件下で貯留処理１０２、次いで有機性固形廃棄物１０１を含水率７０％以下に脱水処理し、固形状材料１０３と分離汚水とに分離する脱水処理工程１０４、脱水に伴う分離汚水を貯留する分離汚水貯留工程１０５、および脱水後の固形状材料１０３を好気的条件下で発酵処理する発酵処理工程１０６を有し、該発酵処理工程１０６において、発酵中の固形状材料１０３の含水率が発酵のための適正値を維持するように、前記分離汚水貯留工程１０５で貯留された分離汚水を発酵中の固形状材料１０３に散水する構成とするものである（特許文献１参照。）。
【０００３】
【特許文献１】特開平９−１００１８８号公報（要約書、第１図）
【発明の開示】
【発明が解決しようとする課題】
【０００４】
このように食物残滓の含水率を６５％〜７０％に調整して、発酵処理を行うことが最も効率の良い発酵処理として認められているが、図４の堆肥化処理工程における発酵温度推移グラフで示すように、含水率を６５％とした状態で発酵菌を添加した場合には好条件下での発酵・分解により急激な発酵温度が上昇し、２４時間後には７８．５℃の最高温度となる。
【０００５】
ここで温度上昇に伴い食物残滓に含まれる水分が分離されて泥状化するために、通気性不良となり嫌気性状態に陥り、不良となり嫌気性状態に陥り、乳酸発酵に転じることにより酸性化し、発酵菌が死滅する。そしてこの嫌気性発酵が進むことにより発生する臭気が強くなり、処理施設周辺の環境を悪化させる原因となっている。
【０００６】
このように第１発酵時に悪臭が発生することが多いために、施設の周辺に悪臭が洩れないように空気清浄機を設けて多大な付属設備によるコストがかかるのが現状である。また、発酵時の腐敗による悪臭の発生を抑えるために、強制的に空気を供給し、温度を加えたとしても、それは大腸菌などの増殖に好ましい環境となり、目的の有効菌が働いているかどうか確認できない状態で乾燥されることとなり、それを堆肥として使用した場合に悪臭や雑菌の発生により農作物に悪影響を及ぼす問題がある。
【０００７】
本発明は、以上の点に鑑みて創案されたものであって、低温域における臭気の発生を抑えた発酵と高温域における発酵との２段階方式により悪臭が発生することなく完全な発酵が行える低臭気な堆肥化処理方法を提供することを目的とするものである。
【課題を解決するための手段】
【０００８】
上記の目的を達成するために、本発明に係る低臭気な堆肥化処理方法は、生活ゴミや動植物残滓に、単独もしくは複数の微生物を接種して、増殖させ、発酵、分解させる堆肥化処理方法において、一次処理が、消臭機能を有する微生物により行われる第１次発酵工程と、二次処理が、堆肥化促進機能を有する微生物により第一次発酵工程より高温度で行われる第２次発酵工程を備える工程とする。
ここで、第２次発酵工程は第一次発酵工程より１０℃以上高温度で行われることが好ましく、２０℃以上高温度で行われることが特に好ましい。１０℃以上高温度としたのは、たとえば第１次発酵工程で枯草菌を使用した場合の上限温度と第２次発酵工程で放線菌を使用した場合の下限温度との差が１０℃以上あると効果が得やすいからである。
【０００９】
ここで、生活ゴミや動植物残滓の水分調整を行った後に、枯草菌や放線菌を含む微生物を接種して一次処理において特に３０〜６０℃の中温域内にて発酵を行うことにより、中温域内での好気的条件下における添加した特に枯草菌の増殖により臭気、例えばアンモニア、カプタン、アミン、油脂成分を分解することにより臭気の発生を抑えながら好気的発酵を継続する。
次に、一次処理において臭気成分の発生が抑えられた中間処理物を、二次処理において第一次発酵工程より高温度、特に７０〜８５℃の高温域内での好気的条件下における特に放線菌の働きにより発酵をより促進させて短期間での堆肥化を可能とする。
一次処理においては消臭機能を有する微生物、二次処理においては堆肥化促進機能を有する微生物であれば使用できるがいずれも枯草菌または放線菌が好ましく、消臭機能を有する微生物としては枯草菌が特に好ましく、堆肥化促進機能を有する微生物としては放線菌が特に好ましい。また、一次処理において枯草菌と放線菌とを共存させることもできる。枯草菌と放線菌とを共存させ、第一次発酵工程を３０〜６０℃の中温域内、第２次発酵工程を７０〜８５℃の高温域内で行うことにより、一次処理においては枯草菌の機能を発揮させ、二次処理においては放線菌の機能を発揮させることができる。
【００１０】
なお、前記一次処理において３０〜６０℃の中温域と限定した理由は、温度が３０℃未満では枯草菌の活動が抑制されて充分な消臭効果を得ることができず、また温度が６０℃超では枯草菌が熱によって死滅する恐れがあるからである。
【００１１】
また、前記二次処理において７０〜８５℃の高温域と限定した理由は、温度が７０℃未満では、放線菌の充分な発酵促進がなされず、温度が８５℃を超えると放線菌が熱によって死滅する恐れがあるからである。
【発明の効果】
【００１２】
本発明の低臭気な堆肥化処理方法では、一次処理において発生するアンモニア臭を３０〜６０℃の中温域での枯草菌による臭気成分の分解によって臭気を抑えながら発酵を促進させることができる。したがって、空気清浄機やベンチレーターなどの付帯設備が不要なり、臭気を押さえられた好条件下での作業が可能となる。
【００１３】
また、二次処理においては、７０〜８５℃の範囲での高温域での放線菌による発酵・分解により、水分過多を抑制しながら高温状態を維持することにより短期間での堆肥化が可能となる。
【発明を実施するための最良の形態】
【００１４】
以下、本発明の実施の形態を図面を参酌しながら説明し、本発明の理解に供する。
図１に、本発明の低臭気な堆肥化処理方法を適用した堆肥化処理場の一例を示す平面見取図を示す。
【００１５】
ここで示す堆肥化処理場１は、敷地内に堆積槽２、ワラ堆積倉庫３、攪拌処理槽４、排水槽５および汚水貯留槽６などから構成されるものである。
【００１６】
この堆積槽２は図２に示すように、その底面に散気管７が配管され食物残滓Ａに空気が供給されることにより発酵時の温度調整が行える構成とするとともに、堆積される食物残滓Ａは週に１回ホイールローダーなどによって攪拌して発酵の均一化を図れるようにする。
【００１７】
そこで堆積槽２において生ゴミで代表される食物残滓（含水率７５％〜９０％）や牛糞、馬糞などの家畜糞にワラ堆積槽倉庫３よりワラやおが屑および戻し堆肥などを投入して含水率５５％〜６０％の範囲内で水分調整を行うとともに枯草菌および放線菌が含んだ微生物を接種して一次処理を行う。
【００１８】
次に堆積槽２において２〜３日間の一次発酵を行った後に食物残滓を攪拌処理槽４まで運搬して二次発酵を行う。この攪拌処理槽４には散気管（図示せず。）と撹拌羽根（図示せず。）が設けられ、一次発酵終了後の食物残滓に散気管により空気を供給しながら撹拌羽根によって撹拌されることで好気的発酵条件下での安定した発酵・分解が継続されるとともに食物残滓内の水分の蒸散が行われ、約６週間で完熟した堆肥の生産が行われる。
【００１９】
実施例１
ここで、一日に産出される生ゴミ２ｔ／日と馬糞０．３ｔ／日の合計重量２．３ｔ／日を前記詳述した堆肥化処理場において堆肥化処理を行った。
【００２０】
一次処理において微生物製剤として枯草菌であるパナエコクリーン（商標登録）／（国際衛生株式会社製）および放線菌であるビオグリーン（商標登録）／(豊栄物産株式会社製）の混合物を原料投入時に混合し、空気の供給によって堆積層内の温度を３０〜６０℃の範囲内で管理しながら、水分を５５〜６０％に調整された原料を２〜３日間の中温発酵処理を行った。次に二次処理では、攪拌処理槽内の温度を７５〜８５℃の範囲内で管理しながら３０〜４５日間かけて攪拌発酵処理を行った。
【００２１】
そこで堆積槽位置、攪拌処理槽の投入位置および攪拌処理槽の排出位置におけるアンモニア濃度を従来におけるビオグリーン（商標登録）／(豊栄物産株式会社製）のみの接種により第１次醗酵工程、第２次醗酵工程共に７０〜８０℃で管理する従来の堆肥化処理と本発明による堆肥化処理との比較測定を行った結果を下記表１に示す。測定単位はｐｐｍとする。
【００２２】
【表１】
2008037718.tif 000003
【００２３】
以上の結果から、一次処理における堆積槽での悪臭の原因であるアンモニア濃度が４ｐｐｍであり、従来の３２ｐｐｍに比べて著しく減少し、その後の第２次発酵工程の過程においても、従来法に比べアンモニア濃度が著しく減少した。このアンモニア濃度では殆んどの人が臭気を感じない値である。
【００２４】
実施例２
次に、一日に産出される、たまねぎ３．５ｔ／日：えび０．５ｔ／日：あさり０．３ｔ／日：汚泥１ｔ／日の合計重量５．３ｔ／日を前記詳述した堆肥化処理場において堆肥化処理を行った。
【００２５】
一次処理において微生物製剤としてパナエコクリーン（商標登録）／（国際衛生株式会社製）およびビオグリーン（商標登録）／(豊栄物産株式会社製）の混合物を原料投入時に混合し、空気の供給によって堆積槽内の温度を３０〜６０℃の範囲内にで管理しながら、水分を５５〜６０％に調整された原料を２〜３日間の中温発酵を行った。次に二次処理では、攪拌処理槽内の温度を７５〜８５℃の範囲内で管理しながら３０〜４５日間かけて攪拌発酵処理を行った。
【００２６】
そこで堆積槽位置、攪拌処理槽の投入位置および攪拌処理槽の排出位置におけるアンモニア濃度を、ビオグリーン（商標登録）／(豊栄物産株式会社製）のみの接種により第１次醗酵工程、第２次醗酵工程共に７０〜８０℃で管理する従来の堆肥化処理従と本発明による堆肥化処理との比較測定を行った結果を下記表２に示す。測定単位はｐｐｍとする。
【００２７】
【表２】
2008037718.tif 000004
【００２８】
以上の結果から、一次処理における堆積槽での悪臭の原因であるアンモニア濃度が１ｐｐｍであり、従来の４０ｐｐｍに比べて著しく減少し、その後の第２次発酵工程の過程においても、従来法に比べアンモニア濃度が著しく減少した。
【００２９】
以上のように一次発酵時において、枯草菌および放線菌が含んだ微生物を接種することにより、３０〜６０℃の中温域内を至適とする枯草菌は、悪臭の原因となるアンモニア、カプタン、アミン、油脂成分を分解することにより臭気の発生を抑えながら発酵を促進する。これにより、最も悪臭が発生する一次発酵時の低臭気を可能とする。
【００３０】
次に、攪拌処理槽内にて二次発酵を行う場合には、７５〜８５℃の高温域内を至適とする放線菌は、高温状態を継続した状態での発酵・分解を促進することにより、その結果水分の蒸散を効率よく行うことができ、好気性発酵条件下での発酵を完了することにより完熟度の高い堆肥を生産することができる。
【図面の簡単な説明】
【００３１】
【図１】本発明の低臭気な堆肥化処理方法を適用した堆肥化処理場の一例を示す平面見取図を示す。
【図２】図１における堆積層の内部機構を示す断面説明図である。
【図３】従来の堆肥化処理方法の一例を示す説明図である。
【図４】従来の堆肥化処理における発酵温度推移グラフ図である。
【符号の説明】
【００３２】
１      堆肥化処理場
２      堆積槽
３      ワラ堆積倉庫
４      攪拌処理槽
５      排水槽
６      汚水貯留槽
７      散気管
【図１】
2008037718.tif 000005
【図２】
2008037718.tif 000006
【図３】
2008037718.tif 000007
【図４】
2008037718.tif 000008